【手続補正書】
【提出日】平成18年10月20日(2006.10.20)
【手続補正１】
【補正対象書類名】明細書
【補正対象項目名】全文
【補正方法】変更
【補正の内容】
【書類名】明細書
【発明の名称】  電子機器
【特許請求の範囲】
【請求項１】
電子機器のケース（３）における底面の複数箇所には、壁面（６）に備えさせる螺子（４）の頭部（4-a）の径より大きい径の挿通孔（100-a）と、前記螺子（４）の頭部（4-a）の径よりも小さくて螺子（４）の軸部（4-b）の径よりも大きい幅寸法を備える長孔（200-a）とが連通して成る取付孔（1-a）を備えさせている電子機器において、      
上記取付孔（1-a）のケース内側においては、前記螺子（４）の頭部（4-a）がケース（３）内にて底面に沿う状態で平行する方向への移動を可能にする間隙を隔てて、上記螺子（４）の頭部（4-a）がケース内に過剰に入り込むのを「制限するための壁（２）」を設けたことを特徴とする電子機器。
【請求項２】
上記の「制限するための壁（２）」は、ケース（３）と一体に形成された結合部（５）につながっており、しかも、結合部（５）につながっている位置は、「制限するための壁（２）」における上記挿通孔（100-a）に対向する側がつながっていることを特徴とする請求項１に記載の電子機器。
【請求項３】
上記取付孔（1-b）は、上記挿通孔（100-b）と、上記挿通孔（100-b）に連通させた上記長孔（200-b）とで構成すると共に、上記挿通孔（100-b）に対して連通させたもう一つの長孔（200-c）とを備え、上記もう一つの長孔（200-c）は、上記挿通孔（100-b）を起点として、上記長孔（200-b）とは角度が略直角の方向に位置させていることを特徴とする請求項１、請求項２に記載の電子機器。
【発明の詳細な説明】
【０００１】
【発明の属する技術分野】本発明は、卓上、壁面取り付けのどちらでも使用できる電子機器に関する。
【０００２】
【従来の技術】従来より電子機器を壁面に取り付ける場合、予め壁面へ螺入した螺子に、螺子の頭部より大きい径の挿通孔と、螺子の軸部を挿通して頭部の挿通を阻止する長孔とが、連通して成る複数の取付孔により固定していた。
【０００３】
【発明が解決しようとする課題】しかし、従来より電子機器を壁面に取り付ける場合、取付孔の方向が一つに限られていたため、電子機器の設置する向きを自由に選べなかった。柱のような狭いスペースにも設置できなかった。また、取付孔の奥には電子部品やプリント基板の配線があるため、壁面取り付け用螺子の壁面からの距離が長いと、それらに接触して電子回路をショートさせる危険性もあった。
【０００４】そのため、上記従来の電子機器において、設置する向きを自由に選べ、設置場所の大きさにも影響されず、取り付け用螺子によりケース内部の電子回路をショートさせる危険性の無い電子機器が望まれていた。
【０００５】
【課題を解決するための手段】本願発明における電子機器は、電子機器のケース（３）における底面の複数箇所には、壁面（６）に備えさせる螺子（４）の頭部（4-a）の径より大きい径の挿通孔（100-a）と、前記螺子（４）の頭部（4-a）の径よりも小さくて螺子（４）の軸部（4-b）の径よりも大きい幅寸法を備える長孔（200-a）とが連通して成る取付孔（1-a）を備えさせている電子機器において、
上記取付孔（1-a）のケース内側においては、前記螺子（４）の頭部（4-a）がケース（３）内にて底面に沿う状態で平行する方向への移動を可能にする間隙を隔てて、上記螺子（４）の頭部（4-a）がケース内に過剰に入り込むのを「制限するための壁（２）」を設けたものである。
また好ましくは、上記の「制限するための壁（２）」は、ケース（３）と一体に形成された結合部（５）につながっており、しかも、結合部（５）につながっている位置は、「制限するための壁（２）」における上記挿通孔（100-a）に対向する側がつながっているようにしたものであればよい。。
また好ましくは、上記取付孔（1-b）は、上記挿通孔（100-b）と、上記挿通孔（100-b）に連通させた上記長孔（200-b）とで構成すると共に、上記挿通孔（100-b）に対して連通させたもう一つの長孔（200-c）とを備え、上記もう一つの長孔（200-c）は、上記挿通孔（100-b）を起点として、上記長孔（200-b）とは90度異なる方向に位置させているものであればよい。
【０００６】
【発明の実施の形態】本発明の一実施形態を図面を参照して説明する。図１乃至図５において、電子機器７の底面に複数の取付孔１−ａ、１−ｂ、１−ｃ、１−ｄ（図５参照）が設けられている。取付孔１−ａ、１−ｂ、１−ｃ、１−ｄは、螺子の頭部４−ａの径より大きい径の挿通孔１００−ａ、１００−ｂ、１００−ｃ、１００−ｄと、螺子の軸部４−ｂが挿通して螺子の頭部４−ａの径より小さい幅寸法の長孔２００−ａ、２００−ｂ、２００−ｃ、２００−ｄ、２００−ｅをそれぞれ連通したものである。
【０００７】壁２は、図２に表れているように、取付孔１−ａのケース内側にあって、螺子４の頭部４−ａがケース３内にて底面に沿う状態で平行する方向（図２の上下方向）への移動を可能にする間隙を隔てて、備えさせてある。この壁２は、図２から分かるようにケース３と一体で形成される結合部５でつながっている。このように結合部５は、図２の壁２における下側に位置し、挿通孔100-aに対向する側につながっている。
壁２は、予め壁面６に螺入した螺子４に対して、電子機器７に設けた取付孔１−ａ、１−ｂにより固定する場合、この壁２が設けてあるため、螺子４の頭部４−ａがケース内に過剰に入り込むのを「制限するための壁（２）」となり、電子部品８や、プリント基板９の配線部分に接触してショートすることを防止している。また壁２により、取付孔からの異物混入も防止できる。
【０００８】取付孔１−ｂは、螺子の頭部４−ａの径より大きい径の挿通孔１００−ｂと、螺子の軸部４−ｂが挿通して螺子の頭部４−ａの径より小さい径の長孔を、挿通孔１００−ｂを起点として長孔の軸線の角度が略直角になるように２本設けている。これにより、取付孔１−ａ、１−ｂを使用した場合は図３のように、また、取付孔１−ｂ、１−ｃを使用した場合は図４のように、電子機器７を取り付けることができ、取付方向の自由度が向上する。また、前記角度は略直角が望ましいが、電子機器７の設置方向が自由に選べ、取付が容易な角度であれば、多少角度が大きくても小さくても良い。この場合、各々の組の軸線は略平行にするのが望ましい。尚、１０は脚部、１１は電源スイッチつまみ、１２はパイロットランプ表示窓、１３は同軸コネクタ（Ｆ型コネクタ）、１４は電源コード、１５は同軸ケーブル、１６は結束用部材である。
【０００９】次に、図５は異なる実施例で、取付孔１−ｃ１において１−ｂと同様に長孔を２個設けており、長孔の軸線方向が取付孔１−ｂと異なっている。また、取付孔１−ｄが追加されており、電子機器７を壁面に取り付ける際、取り付け方向の自由度が向上する。詳しくは、取付孔１−ａ、１−ｂの組み合わせ、取付孔１−ｂ、１−ｃ１の組み合わせ、取付孔１−ｃ１、１−ｄの組み合わせの中から取り付ける向きを、３方向のうちいずれかを選択することができる。
【００１０】図１に示す取付孔の間隔をＬ１＞Ｌ２にすることにより、図３に示す壁のように広いスペースには取付孔１−ａ、１−ｂを使用し、図４に示す柱のように狭いスペースには取付孔１−ｂ、１−ｃを使用することにより、壁面のスペースに合わせた電子機器の取付ができる。
【００１１】また、図５に示す取付孔の間隔をＬ１≠Ｌ２≠Ｌ３にすることにより、壁面や、その周囲の状況に合わせて最適な電子機器の取り付け方法を選択できる。尚、ケース３は、樹脂で形成しても良いし、アルミなどの金属によるダイカスト製法で形成しても良い。
【００１２】
【発明の効果】本発明によれば、壁２により螺子や異物が電子機器内部に入りにくくなるため、電子部品やプリント基板のショート事故が防止できる効果がある。
また、電子機器７の壁面への取付角度を多方向で選択できることから、ケーブルの配線やスイッチ操作等をしやすくし、更に、柱のような狭いスペースにも容易に設置できる効果がある。
【図面の簡単な説明】
【図１】 本発明の一実施形態に係る電子機器の底面斜視図である。
【図２】 図１におけるＡ１−Ａ２の断面図である。
【図３】 電子機器を壁面に取り付けた状態の平面斜視図である。
【図４】 電子機器を図３とは異なる角度で壁面に取り付けた状態の平面斜視図である。
【図５】 ３方向に取り付け可能な電子機器の底面図である。
【符号の説明】
１−ａ，１−ｂ，１−ｃ，１−ｄ…取付孔、２…壁、３…ケース、４…螺子、４−ａ…螺子頭部、４−ｂ…螺子軸部、５…結合部、６…壁面、７…電子機器、９…プリント基板、１００−ａ，１００−ｂ，１００−ｃ，１００−ｄ…挿通孔、２００−ａ，２００−ｂ，２００−ｃ，２００−ｄ，２００−ｅ…長孔